(57)【要約】既設建物又は新設建物の結露を防止するために構造上及び施工上において効果的である換気施工方法を提供する。【解決手段】断熱材４１により建物１の外壁５の外側を被覆し、さらに、前記断熱材を外装仕上材４５で被覆する建物の改修方法であって、前記断熱材で囲まれた領域内に中空路４２を形成して換気風道Ｆ１〜Ｆ３を設け、前記換気風道を所望の部屋の内部と連通させたことを特徴とする換気施工方法とした。【選択図】　図２
2004060288.tif 000002
【特許請求の範囲】
【請求項１】
断熱材により建物の外壁の外側を被覆し、さらに、前記断熱材を外装仕上材で被覆する施工方法であって、
前記断熱材で囲まれた領域内に中空路を形成して換気風道を設け、
前記換気風道を所望の部屋の内部と連通させたことを特徴とする換気施工方法。
【請求項２】
給気手段を有しており、外気取入口と接続されている前記建物の内部に設けられている導風路と、前記換気風道が接続されていることを特徴とする請求項１に記載の換気施工方法。
【請求項３】
前記換気風道は、前記建物に設けられている既設の給気口と接続されていることを特徴とする請求項１又は請求項２に記載の換気施工方法。
【発明の詳細な説明】
【０００１】
【発明の属する技術分野】
本発明は、新設又は既設の建物における結露を防止し、有効な換気を行うための換気施工方法に関する。
【０００２】
【従来の技術】
近年、建物の高気密化等の進行に伴い、結露の問題が生じている。結露は、建物における壁体内部の表面温度が下がり、これに接する室内空気が露点温度以下となった場合に、当該壁体表面等に水滴が付着する現象である。従って、結露を解消するためには、（１）建物の断熱性能を上げること、（２）換気により発生した水蒸気を建物外に排出すること等の対策を施すことが効果的である。
【０００３】
前記結露は、既設の戸建住宅の場合にも当然に発生するものであり、この場合には、日常生活に支障をきたすことなくその対策を講じることが必要となることから、建物に外断熱を施し、適切に換気を行うことが非常に効果的である。
【０００４】
【発明が解決しようとする課題】
しかし、戸建住宅の換気は、台所及び浴室などに取り付けられた換気扇と、各室に設けられている給気口等を使用して行なわれているにすぎず、充分な換気が行われているといえないものであった。また、結露発生の危険性が最も高い冬季には、寒さのために前記給気口を閉じてしまうことも多く、その場合には、さらに、換気が不充分となってしまう。そのため、単に外断熱を行うだけでは、結露を完全に防止することは難しかった。
【０００５】
本発明は前記の問題点を解決するためになされたものであり、建物の結露を防止するために構造上及び施工上において効果的である換気施工方法を提供することを目的とする。
【０００６】
【課題を解決するための手段】
前記課題を解決するために、本発明の換気施工方法は、断熱材により建物の外壁の外側を被覆し、さらに、前記断熱材を外装仕上材で被覆する施工方法であって、前記断熱材で囲まれた領域内に中空路を形成して換気風道を設け、前記換気風道を所望の部屋の内部と連通させたことを特徴としている。
【０００７】
ここで、「断熱材で囲まれた領域内に中空路を形成し」とは、中空路が外部に露出することなく断熱材で囲まれていればよく、中空路の総てが断熱材で覆われている場合の他に、外壁と断熱材とによって中空路が形成されていてもよい。そして、この中空路は、任意の形状に設けることができるが、所定寸法に成形された断熱材を組み合わせることにより、水平方向及び鉛直方向に形成することが施工上は好ましい。
また、建物の構造形式については、特に制限はないため、コンクリート造、木造等について適用が可能であるが、コンクリート造であれば、躯体の蓄熱効果をも期待することができるため、非常に好適である。
【０００８】
本発明を既設建物の改修に使用すれば、日常生活に支障をきたすことなく外断熱の施工を行うことができるとともに、建物の外壁の外側に換気風道を設けることから、室内側の改修を最小限に抑えて換気対策を施すことができる。従って、簡易な方法で建物の結露を防止することができる。
また、本発明は新設建物に対しても適用可能であり、同様の効果を発揮させることができる。
【０００９】
さらに、前記換気施工方法において、給気手段を有しており、外気取入口と接続されている前記建物の内部に設けられている導風路と、前記換気風道が接続されることで、換気システムが構成されることになる。
【００１０】
また、前記換気施工方法において、前記換気風道は、前記建物に予め設けられている既設の給気口と接続されているものであってもよい。
【００１１】
本発明によれば、建物に設けられている既設の給気口と、換気風道を接続することで、当該給気口を利用することにより、新たな給気口を形成することなく室内に換気対策を施すことができる。
【００１２】
【発明の実施の形態】
以下、本発明の実施の一形態について、図面を参照して詳細に説明する。
なお、以下の説明において、方向を指示する場合には、図１における右左下上方向をそれぞれ、東西南北とする。
【００１３】
［建物］
図２及び図３に示すように、本発明を適用する建物１は、鉄筋コンクリート造の２階建ての戸建て既設住宅であり、外壁５及び屋根材６等を備える本体躯体７が基礎部（図示せず）の上部に構築されている。
【００１４】
図１における平面図で示すように、本体躯体７の１階は、略矩形状の居室空間が、図中の北東（右上）側から南西（左下）側に、玄関・ホール１１、台所１２、洗面所・トイレ１３、居間１４、ダイニングルーム１５、浴室１６の６区画に画設されている。また、２階の居室空間は、北東側から南西側に、ホール・吹抜２１、納戸・廊下２２、和室２４、洋室２５の４区画に画設されており、各室等は、それぞれ、１階における、玄関・ホール１１、台所１２、居間１４、ダイニングルーム１５の真上に設けられている。
【００１５】
そして、台所１２、洗面所・トイレ１３及び浴室１６には、それぞれ排気ファン３１Ａ〜３１Ｄが取り付けられており、台所の排気ファン３１Ｄ以外は常時運転されている（台所の排気ファン３１Ｄは、調理時などの所望の時に運転される）。また、居間１４、ダイニングルーム１５、和室２４及び洋室２５の外壁５における上部には既設給気口３２Ａ〜３２Ｄが形成されている。
【００１６】
［換気施工方法］
続いて、本発明の換気施工方法について説明する。
本発明は、（１）断熱材施工工程と、（２）外装仕上材被覆工程から構成されている。
【００１７】
（１）断熱材施工工程
本工程は、建物１の外壁５の外側を断熱材４１で被覆するとともに、当該断熱材４１で囲まれた領域内に中空路４２を形成し、当該中空路４２を適切に垂直方向及び水平方向に配置することにより換気風道Ｆ１〜Ｆ３を形成する作業を行う工程である（以下の説明において、換気風道を総称する際には符号Ｆを付し、後記各風道を示す際には符号Ｆ１〜Ｆ３を付す。また、断熱材を総称する際には符号４１を付し、板状に形成されている各断熱材を示す際には符号４１Ａ〜４１Ｃを付す）。
【００１８】
以下、換気風道Ｆについて説明する。
図４に示すように、この換気風道Ｆ１〜Ｆ３は、厚さ及び寸法が異なる板状に形成された断熱材４１Ａ〜４１Ｃのみを用いて形成される（但し、貼設用材料等を除く）。
すなわち、中空路近傍部４３以外の部位には、当該中空路近傍部４３の空間を確保した状態で、外壁５の外側に、厚板断熱材４１Ａを貼設する。そして、中空路近傍部４３では、中空路４２の空間を確保した状態で、外壁５の外側に、各厚板断熱材４１Ａに隣接して、当該厚板断熱材４１Ａの半分程度の厚さである薄板断熱材４１Ｂを貼設する。さらに、各薄板断熱材４１Ｂの外側部に、厚板断熱材４１Ａと同一の厚さとなるように、他の薄板断熱材４１Ｃを貼設する。これにより、各薄板断熱材４１Ｂ，４１Ｃと外壁５により囲まれた中空路４２が形成される。
【００１９】
なお、既設給気口３２Ａ〜３２Ｄが設けられている場合には、当該既設給気口３２Ａ〜３２Ｄは断熱材４１により、直接外部に露出しない状態となるが、中空路４２とは接続された状態となる。
また、中空路４２の幅寸法が大きい場合には、適宜、断熱材４１から形成されている補強材（図示せず）を設けてもよい。
さらに、中空路４２は、厚板断熱材４１Ａと薄板断熱材４１Ｂ，４１Ｃの形状の組み合わせにより、任意の形状に形成することができる。
【００２０】
本実施形態では、換気風道Ｆは、廊下２２Ｂの西側の外壁５において換気チャンバ３７に接続されている２階水平換気風道Ｆ１と、ホール・吹抜２１の東側外壁５に垂直に設けられている２階垂直換気風道Ｆ２と、当該２階垂直換気風道Ｆ２と下端部で接続されている１階水平換気風道Ｆ３から形成されている。
【００２１】
前記２階水平換気風道Ｆ１は、洋室２５の西側及び南側の外壁５と、和室２４の南側外壁５の周囲に水平に設けられており、各室の既設給気口３２Ｄ，３２Ｃと接続されている。
また、２階垂直換気風道Ｆ２は、ホール・吹抜２１と和室２４との境界部の近傍の外壁５に垂直に設けられており、その下端部で１階の外壁５の周囲に設けられている１階水平換気風道Ｆ３と接続されている。この１階水平換気風道Ｆ３は、居間１４の北側、東側及び南側における外壁５と、ダイニングルーム１５の南側外壁５における周囲に水平に設けられており、各室の既設給気口３２Ａ，３２Ｂと接続されている。
【００２２】
さらに、前記２階水平換気風道Ｆ１及び２階垂直換気風道Ｆ２は、２階の天井裏の空間部に新設された内部換気ダクトＤ（導風路）と接続されている。
この内部換気ダクトＤは、納戸２２Ａの西側外壁５の上部に設けられている新設の空気取入口３４と接続されている５本のダクトから形成されている。
前記空気取入口３４の近傍には給気ファン３５（給気手段）が設けられており、当該給気ファン３５は、空気浄化用フィルタ３６を備える接続ダクトＤ５により、前記空気取入口３４と接続されている。そして、給気ファン３５の下流側には、第１ダクトＤ１と第２ダクトＤ２が接続されており、前記給気ファン３５の上流側には、第３ダクトＤ３と第４ダクトＤ４が接続されている。この給気ファン３５は、上流側に設けられている接続ダクトＤ５、第３ダクトＤ３及び第４ダクトＤ４の内部に吸入された空気を、下流側に設けられている第１ダクトＤ１及び第２ダクトＤ２に導風できるようになっている。
【００２３】
ここで、前記第１ダクトＤ１は、給気ファン３５と２階垂直換気風道Ｆ２の上端部を接続するダクトであり、前記第２ダクトＤ２は、廊下２２Ｂの居室側における上側隅角部に設けられている換気チャンバ３７と給気ファン３５を接続するためのダクトである。
また、前記第３ダクトＤ３は、給気ファン３５とホール・吹抜２１の空間部を接続するダクトであり、前記第４ダクトＤ４は、給気ファン３５と、廊下２２Ｂの天井に新設した換気口３８を接続するダクトである。
【００２４】
（２）外装仕上材被覆工程
本工程は、前記断熱材４１の外側表面部に、モルタル等の外装仕上材４５（図４参照）を被覆する作業を行う工程であり、公知の方法を用いることができる。
【００２５】
［作用及び効果］
本発明の換気施工方法により外断熱が施工された建物１は、以下の例のように換気を行うことができる。
図５に示すように、給気ファン３５及び各排気ファン３１Ａ〜３１Ｄを作動させると、給気ファン３５の動作により２階の空気取入口３４から外気が導入され、空気浄化用フィルタ３６を通過する際に塵埃等が除去された後に、第１ダクトＤ１及び第２ダクトＤ２に導風される。第１ダクトＤ１に導風された外気は、２階垂直換気風道Ｆ２及び１階水平換気風道Ｆ３を通り、各既存給気口３２Ａ，３２Ｂから、居間１４及びダイニングルーム１５に給気される。また、第２ダクトＤ２に導風された外気は、換気チャンバ３７及び２階水平換気風道Ｆ１を通り、各既存給気口３２Ｄ，３２Ｃから洋室２５及び和室２４に給気される。
【００２６】
１階の居間１４及びダイニングルーム１５に給気された空気は、その一部が、浴室１６、洗面所・トイレ１３及び台所１２の排気ファン３１Ａ〜３１Ｄによって、室外に排出される。また、他の一部は、玄関・ホール１１に送られ、吹抜２１Ｂを通って２階に上昇する。そして、第３ダクトＤ３に吸入された後に、給気ファン３５によって、第１ダクトＤ１及び第２ダクトＤ２に送られて、再度、室内を循環することになる。
【００２７】
また、２階の和室２４及び洋室２５に給気された空気は、一部が、換気口３８から第４ダクトＤ４に吸入され、また、他の一部は、吹抜２１Ｂから第３ダクトＤ３に吸入されて、給気ファン３５によって、第１ダクトＤ１及び第２ダクトＤ２に送られることにより、再度、室内を循環することになる（図５における黒矢印が導入された空気の流れを示し、白抜き矢印が排気される空気の流れを示す）。
【００２８】
このように、本発明によれば、日常生活に支障をきたすことなく外断熱及び室内換気の改善を行うことができることから、冷暖房の効率を向上させ、快適な室内空間を実現させることができ、それに伴い結露を効果的に防止させることが可能となる。
また、建物１における外壁５の外側に換気風道Ｆを設けることから、室内の改修を最小限に抑えて換気工事を行うことができ、簡易な方法で、建物１の結露を防止することができる。
さらに、建物１に設けられている既設給気口３２Ａ〜３２Ｄと、換気風道Ｆを接続することで、当該既設給気口３２Ａ〜３２Ｄを利用することにより、室内に給気を行うことができる。
【００２９】
以上、本発明について、好適な実施形態についての一例を説明したが、本発明は当該実施形態に限られず、本発明の趣旨を逸脱しない範囲で適宜設計変更が可能である。特に、建物に設けられている他の換気システムを用いた場合であっても、前記と同様に外断熱を利用して、外壁に別体のダクトを設けることなく、いわゆるダクトレス換気を行うことができることは言うまでもない。
また、建物の階数、間取り或いは用途等については問わないものである。また、換気風道、給気口、給気手段等の位置、数及び寸法等は、対象となる建物に応じて、効率的に空気の循環を行うことができる位置に設けるものである。また、外装仕上材についても、種々の材料を使用することができる。
さらに、本発明は、特に既設建物の改修に適用すれば好適であるが、新設建物にも適用可能であることは勿論である。
【００３０】
【発明の効果】
本発明によれば、建物の結露を防止するために構造上及び施工上において効果的である換気施工方法を提供することができる。
【図面の簡単な説明】
【図１】建物の間取図であり、（ａ）は１階、（ｂ）は２階である。
【図２】図１（ａ）におけるＸ方向から見た、建物の外観を示す斜視図である。
【図３】図１（ａ）におけるＹ方向から見た、建物の外観を示す斜視図である。
【図４】外壁の近傍を拡大した鉛直方向の断面図である。
【図５】（ａ）、（ｂ）は、図１（ａ）、（ｂ）に示す建物の空気の流れを示す図である。
【符号の説明】
１　　　建物
Ｆ　　　換気風道
Ｄ　　　内部換気ダクト（導風路）
５　　　外壁
３１Ａ〜３１Ｄ　排気ファン
３２Ａ〜３２Ｄ　既設給気口
３５　　給気ファン（給気手段）
４１　　断熱材
４２　　中空路
４５　　外装仕上材
【図１】
2004060288.tif 000003
【図２】
2004060288.tif 000004
【図３】
2004060288.tif 000005
【図４】
2004060288.tif 000006
【図５】
2004060288.tif 000007